(57)【要約】【課題】  監視物件に設置されている威嚇装置（発煙装置等）を、監視センタから正確かつタイムリーに起動可能な遠隔監視装置を提供すること。【解決手段】  表示制御部８１０は、監視装置２から受信した侵入情報に基づいて、監視領域の撮影画像及び関連情報を表示部８１１に表示する。そして、表示部８１１に最新画像が表示され、表示画像に対応する発煙装置３が特定されているとき、威嚇起動手段を操作可能状態とする。操作起動手段が監視員により起動されると、威嚇起動手段８０５は、記憶手段８０７の対応テーブルを参照して、表示画像を提供している画像センサ１に対応する発煙装置３を起動するための起動信号を主制御装置を介して監視装置２に送信し、対応する発煙装置３を駆動させる。【選択図】  図２
2006285507.tif 000002
【特許請求の範囲】
【請求項１】
監視物件に設置された威嚇装置及び撮像装置と接続される遠隔監視装置であって、
前記威嚇装置へ起動信号を出力するときに操作する起動操作手段と、
前記撮像装置からの画像を受信する通信制御手段と、
前記画像を表示部に表示する表示手段と、
前記威嚇装置及び前記撮像装置との対応を記憶する記憶手段と、
前記表示部における表示画像の送信源である前記撮像装置に対応する前記威嚇装置があることを条件として、前記起動操作手段を操作可能状態とする表示制御手段と、
前記起動操作手段が操作されると、前記対応する威嚇装置を起動する起動信号を出力する威嚇起動手段と、
を具備することを特徴とする遠隔監視装置。
【請求項２】
更に、
前記表示部における表示画像が、最新画像であるか否かを判定する画像判定手段と、
前記表示制御手段は、前記表示画像が前記最新画像であることを条件として、前記起動操作手段を操作可能状態とする請求項１に記載の遠隔監視装置。
【請求項３】
更に、
前記表示画像が切換え処理中か否かを判定する表示状態判定手段を具備し、
前記表示制御手段は、前記表示画像が切換え処理中でないことを条件として、前記起動操作手段を操作可能状態とする請求項１または２に記載の遠隔監視装置。
【請求項４】
更に、
前記表示手段は、複数の前記記憶装置から受信した画像を前記表示部に分割表示する機能を有し、
前記表示状態判定手段は、分割表示されているか否かを判定し、
前記起動制御手段は、分割表示されていないことを条件として、前記起動操作手段を操作可能状態とする請求項１から請求項３のいずれか一項に記載の遠隔監視装置。
【請求項５】
更に、
前記表示手段は、複数の前記撮像装置から受信した画像を前記表示部に自動切換表示する機能を有し、
前記表示状態判定手段は、自動切換え表示されているか否かを判定し、
前記起動制御手段は、自動切換表示されていないことを条件として、前記起動操作手段を操作可能状態とする請求項１から請求項４のいずれか一項に記載の遠隔監視装置。
【発明の詳細な説明】
【技術分野】
【０００１】
本発明は、複数の撮像装置と威嚇装置を監視物件（ビル、倉庫、事務所等）に設置し、撮像装置で撮像された所定の監視領域の画像を監視物件と離れた場所に設けられた監視センタ装置に送信して、監視センタ装置に表示された監視領域の画像に基づき、監視員が侵入者を確認した上で威嚇装置を遠隔から手動により起動することができる遠隔監視装置に関する。
【背景技術】
【０００２】
近年、監視物件で発生した異常を遠隔の監視センタ装置において監視員が監視し、異常が発生すると、監視センタ装置により対処行動を発令する遠隔監視システムが普及している。このような遠隔監視システムとして、特許文献１には、監視物件に扉開閉検知センサ、人体検知センサ、ガラス破壊センサ、壁破壊センサ等の各種センサ（以下、単に「センサ」と称する）、ＣＣＤカメラ（本発明の「撮像装置」に相当する）、及び煙を放射する発煙装置（本発明の「威嚇装置」に相当する）等が接続されており、これらセンサ及びカメラからの侵入情報を遠隔の監視装置に送信する警報装置、警報装置から受信した監視領域の画像を表示し、発煙装置を起動する発煙起動操作部（本発明の「起動操作手段」に相当する）を備える監視装置（本発明の「遠隔監視装置」に相当する）を備える遠隔監視システムが開示されている。
【０００３】
このシステムでは、センサが検知すると、ＣＣＤカメラにより撮影された画像を遠隔の監視装置に送信する。監視装置は、受信した画像を表示する表示装置を備えており、監視員が表示装置の表示画面を監視している。表示装置の画像に基づいて人の侵入であると判断すると、監視員は発煙起動操作部を操作して、発煙装置を起動する。発煙起動操作部が操作されると、監視装置から起動信号が警報装置に送信される。警報装置は、起動信号を受信すると、発煙装置を起動させる。これにより、監視領域において煙が噴出されて、侵入者を威嚇して犯罪行為を阻止または牽制する。また、撮像装置として、異常を検知したときの画像（蓄積画像）と現在の監視領域の画像（最新画像）の種別の異なる画像を送信することができる画像センサが知られている（特許文献２）。
【特許文献１】特開２００４−１７１２３５号公報
【特許文献２】特開２００１−２８０８９号公報
【発明の開示】
【発明が解決しようとする課題】
【０００４】
しかしながら、上述した特許文献１の遠隔監視システムでは、監視領域が複数ある場合、監視員が、発煙起動操作部の操作を誤ると、侵入者のいる監視領域とは無関係な発煙装置を起動してしまうことになる。そのため、監視員は、表示装置で表示されている画像に対応する発煙装置の有無をまず確認した上で、対応する発煙装置を起動する操作（例えば、表示画像に対応する発煙装置を選択する操作）を間違いなく行わなければならない。しかし、このような発煙装置の有無の確認を行っていたのでは、発煙装置を起動するタイミングを逃してしまうおそれがある。また、このような監視員の人的操作により対応する発煙装置を起動する操作では、操作ミスの発生を完全に除去することは困難である。さらに、特許文献２のような画像センサを撮像装置として使用した場合、最新画像が表示されていない状態で発煙装置を起動すると、侵入者が既に存在しないにもかかわらず、発煙装置を起動してしまう可能性がある。このようなタイミングのずれた発煙装置の起動、または誤った発煙装置の起動は、発煙ボンベを無駄に消費することになる。また、営業時間中に発煙装置を誤動作させると、業務が停止するだけでなく、顧客に多大な迷惑をかけることもあり得る。
【０００５】
本発明は上記問題点に鑑みてなされたもので、表示画像の送信源である撮像装置に対応する発煙装置等の威嚇装置の有無を監視員が迅速に判断することができ、かつ確実に威嚇装置を起動させることができる遠隔監視装置を提供することを目的とする。
【０００６】
また、本発明の他の目的は、監視員に、監視領域の最新の画像を確認させた上で威嚇装置を起動させることができる遠隔監視装置を提供することを目的とする。
【課題を解決するための手段】
【０００７】
本発明にかかる遠隔監視装置は、遠隔監視装置において表示されている表示画像を送信している撮像装置と対応する威嚇装置について起動操作手段の起動操作が可能になるよう構成する。さらには、表示画像が最新画像であるときに起動操作手段の起動操作が可能になるように構成する。また、監視員が意図した表示画像に対応する威嚇装置を確実に起動できない状態では、威嚇装置の起動ができないようにすることにより、上記課題を解決する。
【０００８】
本発明の第１の実施態様に係る遠隔監視装置は、監視物件に設置された威嚇装置及び撮像装置と接続される遠隔監視装置であって、前記威嚇装置へ起動信号を出力するときに操作する起動操作手段と、前記撮像装置からの画像を受信する通信制御手段と、前記画像を表示部に表示する表示手段と、前記威嚇装置及び前記撮像装置との対応を記憶する記憶手段と、前記表示部における表示画像の送信源である前記撮像装置に対応する前記威嚇装置があることを条件として、前記起動操作手段を操作可能状態とする表示制御手段と、前記起動操作手段が操作されると、前記対応する威嚇装置を起動する起動信号を出力する威嚇起動手段と、を具備することを特徴とする。
【０００９】
この態様は、表示手段に表示中の表示画像を送信している撮像装置に対応する威嚇装置が存在する場合にのみ、起動操作手段を操作可能状態とし、操作可能となった起動操作手段を操作すると、表示中の表示画像を送信している撮像装置に対応する威嚇装置が起動されるように構成したものである。この態様により表示中の画像を送信している撮像装置と対応する威嚇装置を確認することが不要となるので、迅速な威嚇装置の起動が可能となり、操作の遅れにより威嚇のタイミングを外すことや、誤操作を防止可能となる。また、起動操作手段が操作可能状態となったか否かを監視員が確認すれば、対応する威嚇装置の有無を、起動操作手段を実際に操作しなくても、すぐに判断できるので、威嚇装置が無い場合には、すぐに他の対応をとることが可能となる。
【００１０】
本発明の他の態様に係る遠隔監視装置は、更に、前記表示部における表示画像が、最新画像であるか否かを判定する画像判定手段と、前記表示制御手段は、前記表示画像が前記最新画像であることを条件として、前記起動操作手段を操作可能状態とすることを特徴とする。
【００１１】
この態様は、監視員が最新画像状態を確認している状態でないと、威嚇装置を起動できないようにしたものである。これにより、最新画像を確認せずに、威嚇装置を起動することを防止し、タイミングのずれた起動を無くすことができる。
【００１２】
本発明の他の態様に係る遠隔監視装置は、更に、前記表示画像が切換え処理中か否かを判定する表示状態判定手段を具備し、前記表示制御手段は、前記表示画像が切換え処理中でないことを条件として、前記起動操作手段を操作可能状態とすることを特徴とする。
【００１３】
この態様は、表示画像の切換え処理中は、表示中の画像と威嚇装置の関係が不安定であるので、切換え処理が完了するまで、起動操作手段を操作できないようにするものである。
【００１４】
本発明の他の態様に係る遠隔監視装置は、更に、前記表示手段が、複数の前記記憶装置から受信した画像を前記表示部に分割表示する機能を有し、前記表示状態判定手段は、分割表示されているか否かを判定し、前記起動制御手段は、分割表示されていないことを条件として、前記起動操作手段を操作可能状態とすることを特徴とする。
【００１５】
この態様は、分割表示中は、画面と対応する威嚇装置が特定できないため、分割表示中は起動操作手段を操作不能とするものである。
【００１６】
本発明の他の態様に係る遠隔監視装置は、更に、前記表示手段が、複数の前記撮像装置から受信した画像を前記表示部に自動切換表示する機能を有し、前記表示状態判定手段は、自動切換え表示されているか否かを判定し、前記起動制御手段は、自動切換表示されていないことを条件として、前記起動操作手段を操作可能状態とすることを特徴とするものである。
【００１７】
この態様は、表示画像が、監視領域の各部の画像カメラに順次切り替えられる自動切換えモードのときには、威嚇起動手段を起動できないようにしたものである。自動切換え表示では、切換えタイミングの関係で、意図したものと異なる威嚇装置を起動させるおそれがあるので、このようなご操作を防止するものである。
【発明の効果】
【００１８】
本発明の遠隔監視装置は、表示部に表示されている表示画像を送信している撮像装置に対応する威嚇装置を起動する起動操作手段を操作可能状態に表示制御手段が制御するので、いち早く威嚇装置の有無を確認でき、威嚇装置が有る場合はタイミングよく迅速に起動することができる。また、威嚇装置が無い場合でも、監視員が無駄な起動操作をすることがなくなり、他の対処行動を早くとることができる。さらに、起動操作手段が操作されれば、威嚇起動手段が対応する威嚇装置を起動する起動信号を出力するので、表示されている画像と無関係な威嚇装置を誤操作により起動させることを防止できる。また、起動操作手段を一つの押ボタン、またはスイッチ等にすることも可能になり、表示画像を見ながら起動操作手段を操作するだけで、対応する威嚇装置を正しく起動させることが可能となり、迅速かつ適切なタイミングでの威嚇装置の起動が可能となる。
【発明を実施するための最良の形態】
【００１９】
本発明に係る遠隔監視装置を、図面を用いて説明する。図１は本発明にかかる遠隔監視装置（監視センタ装置８）を用いた遠隔監視システム１０の一例を示す機能ブロック図である。遠隔監視システム１０では、監視物件内に監視装置２が設けられている。監視装置２には、監視物件内の複数の要所に設置されるマグネットセンサ、熱線センサ等の侵入センサ４、火災センサ５等の各種センサ、非常ボタン６が接続されている。さらに、監視装置２には、監視物件内の複数の監視領域に設置される画像センサ１ａ〜１ｅ、及び発煙装置３ａ〜３ｄが接続されている。
【００２０】
監視装置２は電話回線等の通信回線７を介して監視物件から離れた場所に設けられた監視センタ装置８（本発明の遠隔監視装置に相当する）に接続されている。さらに監視装置２には、監視装置２を監視モードまたは解除モードに設定するモード設定器９が設けられている。モード設定器９による監視モードまたは解除モードの設定には、磁気カード等の所定のカード操作または所定のキーが用いられる。監視装置２は、監視モードに設定されたときに、監視物件内に異常が発生していないかを監視し、所定の異常が発生すると監視センタ装置８に侵入情報を通報する。なお、監視装置２は、監視モード又は解除モードに設定される度に、後述する画像センサ１にその旨を通知する。
【００２１】
監視センタ装置８は、監視装置２から受信した侵入情報を表示する表示手段８０３（図２）を備えており、侵入情報を受信すると、通報のあった侵入情報を表示する。監視センタ装置８では、監視物件に異常がないかを監視員が常時監視しており、異常が発生したら、侵入情報に基づいて、監視員が必要な対処行動をとる。対処行動には、例えば、発煙装置３を起動させたり、監視物件付近に待機している警備員に点検を要請したりする行動などがある。
【００２２】
尚、図１では、侵入者の犯罪行為を阻止または犯行意欲を減殺させる威嚇装置として発煙装置３を設置した例を示しているが、音声または光による威嚇装置、水、ペンキ、特殊塗料等を噴出する等のその他の物理的な威嚇装置を設置することも可能である。以下の実施形態においては、威嚇装置の典型的な例として、発煙装置３を使用した例を用いて説明するが、発煙装置３に代えて、または発煙装置３に加えて、その他の威嚇装置を設置することを排除する趣旨ではない。
【００２３】
画像センサ１は、例えばＣＣＤやＣＭＯＳ型（ＣＩＳ）の撮像装置を備えており、監視領域を撮像した画像を監視装置２に送信する。また、撮像した画像を解析して、侵入者の存在を検出する。さらに、画像センサ１は、撮像した画像を解析して、人の存在可能性の確度のレベルを段階的に判定し、確度の段階に応じた侵入検出信号を監視装置２に出力する。
【００２４】
発煙装置３は、起動信号に基づいて、煙状物質を大量に噴出させて、侵入者の視野を遮り威嚇して犯意を喪失させ、または行動不能にさせる威嚇装置である。犯人に対する威嚇作用が強力であるため、誤動作をすると、顧客等に多大な迷惑や被害を与える可能性があるので、起動させるに当たっては、侵入者であることの、確実な確認および起動操作が求められる。
【００２５】
画像センサ１と発煙装置３とは対応させて監視物件内の監視領域に設置されている。図１においては、破線で囲まれたブロックの中にある画像センサ１と発煙装置３とが互いに対応関係があることを示している。図１に破線ブロックで示すように、「画像センサ１と発煙装置３」の関係は必ずしも１対１で対応づけられて設置される必要はなく、１対１（画像センサ１ａ：発煙装置３ａ）、複数対１（画像センサ１ｂ、１ｃ：発煙装置３ｂ）、１対複数（画像センサ１ｄ：発煙装置３ｃ、３ｄ））、１対０（画像センサ１ｅ：発煙装置無し）の関係で対応付けて設置しても良い。
【００２６】
画像センサ１と発煙装置３の具体な設置例としては、例えば、同じ部屋に画像センサ１と発煙装置３を１対１で対応づけて設置する場合、重要な監視対象物（金庫等）を撮影範囲内に納める１台の画像センサ１と、監視対象物の上の天井と監視対象物の近くに１台ずつ合計２台の発煙装置３を設けて１対２の関係で設置する場合等がある。画像センサ１と発煙装置３を１対複数の関係で設置すると、重要な監視対象物に関しては、複数回発煙装置３を起動することが可能となり、犯罪抑止効果を高めることが可能となる。また、１台の画像センサ１で監視する範囲が広く、１台の発煙装置３の発煙量では不十分な場合には、１台の画像センサ１に対応付けて複数の発煙装置３を設けることも可能である。
【００２７】
監視装置２は、前述したように、監視モード時において各種センサ４、５、６、画像センサ１からの情報に基づいて異常状態の発生を監視しており、異常状態が発生すると、侵入検出信号及び画像情報（撮像した画像を含む）を監視センタ装置８に送信する。なお、本明細書では、侵入検出信号と画像情報とを特に区別する必要がない場合には、「侵入情報」と称している。
【００２８】
（監視センタ装置）
監視センタ装置８は監視装置２から受信した侵入情報を、表示手段８０３（図２）に表示して監視員に対して異常発生を知らせる。監視員は、表示手段８０３（図２）に表示された監視領域の画像に基づいて監視領域の状態を確認し、発煙装置３を起動させる等の必要な対処行動を取る。本実施例においては、発煙装置３を起動するために操作する起動操作手段８３２（図３）を、表示画像と対応させて表示する。そして、表示画像と無関係な発煙装置３の起動ができないようにしている。
【００２９】
図２は、本発明の一実施形態にかかる監視センタ装置８の機能ブロック図を示す。監視センタ装置８は各種機能を備えているが、図２では本発明に関連する機能部分のみを表示している。監視センタ装置８は、監視装置２から受信した侵入情報を受信し、起動信号その他の制御信号を監視装置２に送信する通信制御手段８０１、監視センタ装置８全体を制御する主制御手段８０２、監視装置２から受信した侵入情報を画面上に表示する表示手段８０３、表示手段８０３に表示中の画像（「表示画像」と称する）が最新画像であるか蓄積画像であるかを判定する画像判定手段８０４、監視領域に設置された発煙装置３の起動に関連する処理を行う威嚇起動手段８０５、及び画像センサ１と発煙装置３の対応関係、表示部８１１における表示画像の表示状態を示すフラグ、起動操作手段８３２（図３）を操作可能状態としてよいかを示すフラグ（以下、起動操作手段表示フラグという）等を記憶している記憶手段８０７を備えている。
【００３０】
通信回線７を介して監視装置２から監視センタ装置８に侵入情報が送信されると、通信制御手段８０１を介して主制御手段８０２に入力される。主制御手段８０２は監視装置２から侵入情報を受信すると、該侵入情報を解析する。監視装置２から受信する侵入情報には、画像がどの画像センサ１により撮像したものであるかを示す識別記号、及び画像種別を示す画像特定情報も含まれる。画像種別には蓄積画像と最新画像がある。蓄積画像とは、侵入者の存在を検出した前後の画像であり画像センサ１に記憶されている画像である。最新画像とは、画像センサ１が撮像した最新の画像である。通常、侵入者の存在を検出すると、まず、蓄積画像が監視センタ装置８に送信され、監視センタ装置８からの制御信号に基づいて、最新画像が送信される。詳細は後述する。なお、最新画像以外の画像種別として侵入者の存在を検出した前後の画像である蓄積画像を挙げているが、その他の画像種別であってもよいし、その他の画像種別が加わってもよい。その他の画像種別としては、定期的に撮像した画像などがある。
【００３１】
主制御手段８０２により解析された侵入情報は、主制御手段８０２から表示制御部８０３に出力されて、表示制御部８１０の制御の下、表示部８１１により表示される。表示部８１１は、タッチパネル又はマウス等の入力機能を備えている。表示制御部８１０は、表示手段８０３における表示画像に付加されている画像特定情報を画像判定手段８０４に出力する。また、表示制御部８１０は、表示画像に付加されている識別記号を、起動操作手段８３２（図３）が操作されたときに、発煙装置３を起動する旨の信号とともに威嚇起動手段８０５に出力する。さらに表示制御部８１０は、表示部８１１における表示画像の表示状態を記憶手段８０７に記憶させ、また、記憶手段８０７を参照して、起動操作手段８３２（図３）を操作可能状態にしてよいかを判定し、表示部８１１に対し起動操作手段８３２（図３）の表示／非表示の制御をする。
【００３２】
画像判定手段８０４は、画像特定情報に基づいて、表示画像の画像種別を判定し、その結果を記憶手段８０７に記憶させる。威嚇起動手段８０５は、表示画像が最新画像であり、かつ、表示画像を撮像した画像センサ１に対応する発煙装置３が存在するとき、起動操作手段８３２（図３）の操作を可能状態にする起動操作手段表示フラグをＯＮ状態にする。なお、画像センサ１に対応する発煙装置３の有無の情報は、対応テーブルとして予め記憶手段８０７に記憶されている。
【００３３】
表示制御手段８１０は、起動操作手段表示フラグがＯＮであると、起動操作手段８３２（図３）を操作可能状態とする。監視員により、起動操作手段８３２（図３）が操作されると、威嚇起動手段８０５は、表示画像の送信源である画像センサ１に対応する発煙装置３が存在するか否かを記憶手段８０７の対応テーブルから確認し、対応する画像センサ１の識別記号を付加した起動信号を主制御手段８０２に出力する。主制御手段８０２は、通信制御手段８０１を介して威嚇起動手段８０５からの識別記号を付加した起動信号を監視装置２に送信する。
【００３４】
図３に、起動操作手段８３２を表示部８１１上に表示した表示画面８２０を例示する。表示画面８２０の左側には、監視物件となる建物やテナントなどの名称、発生した異常状態の種別、侵入者を検出した画像センサ１が設置されている監視領域の名称、異常発生時刻等が表示される情報表示部８２１が設けられている。中央部上段には監視装置２から受信した蓄積画像を表示する蓄積画像表示枠８２２と、その上部に蓄積画像に関する情報を表示する蓄積画像情報表示枠８２３が設けられている。蓄積画像情報表示枠８２３には、表示された蓄積画像の監視領域の名称等の情報が表示される。中央部下段には、監視装置２から受信した最新画像表示枠８２４が設けられ、その上部には蓄積画像の場合と同様に、表示されている最新画像の最新画像情報表示枠８２５が設けられている。
【００３５】
図３中のその他の表示は、すべて操作部である。右端の中央部には監視装置２に対して最新画像を要求する最新画像要求ボタン８３１が設けられている。このボタンを操作することにより、表示中の蓄積画像を送信した画像センサ１に対して最新画像の送出を要求する制御信号を監視装置２へ送信することができる。その下側には発煙装置３を起動するときに監視員が操作する起動操作手段８３２が設けられている。これを操作することにより、最新画像を送出している画像センサ１に対応する威嚇装置３が起動される。
【００３６】
中央最下段の４つの操作部の内左右の２つは、監視員によって操作されるたびに、表示制御部８１０が、予め設定された順番で画像センサ１に最新画像の送出を要求し、最新画像表示枠８２４に表示する手動送りボタン８３３ａ、８３３ｂであり、それぞれ順送りと逆送りが選択できる。自動送りボタン８３４を操作すると、所定時間おきに各画像センサ１を自動的に順次切り替えながら、最新画像の送出を要求し、受信した最新画像を最新画像表示枠８２４に表示する。自動送り中に再度自動送りボタンを８３４を操作すると、自動送りは停止される。なお、自動送り中には、次に説明する分割ボタン８３５は、機能しない。
【００３７】
分割ボタン８３５を押下すると、最新画像表示枠８２４を４分割して、分割された領域に複数の画像センサの最新画像を表示する。監視センタ装置８から監視装置２に分割要求信号を送信することにより、監視装置２が分割された領域に割り当てられた画像センサ１に対して所定の時間おきに最新画像の送信を要求する。画像センサ１からの最新画像は、監視装置２を介して監視センタ装置８に送信されて、各分割領域に表示される。分割表示中に再度分割ボタン８３５を操作すると、分割表示は停止される。また、分割表示中には、自動送りボタン８３４は操作できないようになる。監視物件に画像センサ１が５個以上設置されている場合には、分割表示中に手動送りボタン８３３ａ、８３３ｂが操作されると、現在表示していない画像センサ１の最新画像が４分割表示される。また、分割表示画面も操作部となっており、分割表示中に分割された最新画像を選択すると、選択された最新画像が最新画像表示枠８２４に全面表示される。
【００３８】
モニタ終了ボタン８３６は、最新画像表示枠８２４に表示されている最新画像を出力している画像センサ１に対して、最新画像の送出を停止させる信号を監視装置２に送信するための操作部である。これにより、最新画像の送信は停止される。
【００３９】
起動操作手段８３２を操作可能状態にするか否かを示す起動操作手段表示フラグは、（１）最新画像が表示されていること、（２）分割表示されていないこと、（３）自動送りモードでないこと、（４）画像の切換え処理中でないこと、（５）画像センサ１に対応する発煙装置３が存在することを条件に、威嚇起動手段８０５によって操作可能状態とするＯＮ状態に制御される。（１）の条件を満足することにより、監視員が最新画像を確認することが義務付けられることになり、（２）、（３）、（４）及び（５）の条件により表示画像の送信源である画像センサ１と発煙装置３との対応関係を確実なものとし、起動操作されたときに監視員が確認した最新画像を送信している画像センサ１に対応する発煙装置３を誤りなくかつ迅速に起動させることが可能となる。
【００４０】
操作可能状態とは、監視員が起動操作手段８３２を操作すれば、対応する発煙装置３を起動できることを把握できる状態である。監視員に把握させる方法としては、表示、音声、振動等がある。起動操作手段８３２が操作可能状態となる本実施例の態様としては、起動操作手段８３２が非表示の状態から表示の状態に変わるように構成するか、または、非活性表示から活性化するように構成する。これにより、起動操作手段８３２が表示または活性化されない限り、起動操作ができなくなる。また、監視員は、実際に操作しなくても発煙装置３が操作可能かどうかが一目でわかり、無駄な操作をなくことができる。威嚇起動手段８０５の判定に応じて、起動操作手段表示フラグが制御され、表示制御手段８１０はこれを参照して、起動操作手段８３２の表示を制御している。以下に、威嚇起動手段８０５による起動操作手段表示フラグの制御動作を説明する。
【００４１】
まず、動作説明に必要となる５種類のフラグについて説明する。フラグは、記憶手段８０７に記憶されている。
５種類のフラグは、（１）最新画像表示フラグ、（２）自動送り表示フラグ、（３）分割表示フラグ、（４）切換え処理中フラグ、（５）全体表示フラグである。
（１）最新画像表示フラグの制御
表示制御部８１０は、最新画像表示枠８２４に表示している表示画像に付加された画像特定情報を画像判定手段８０４に出力する。画像判定手段８０４は、画像特定情報が最新画像であると判定すれば、最新画像表示フラグをＯＮ制御し、そうでないと判定すれば、ＯＦＦ制御する。
（２）自動送り表示フラグの制御
表示制御部８１０は、自動送りボタン８３４が操作され、自動送り表示となると、自動送り表示フラグをＯＮ制御する。再度、自動送りボタン８３４が操作され、自動送り表示が終了すると、自動送り表示フラグをＯＦＦ制御する。
（３）分割表示フラグの制御
表示制御部８１０は、分割ボタン８３５が操作され、自動送り表示となると、自動送り表示フラグをＯＮ制御する。再度、分割ボタン８３５が操作され、自動送り表示が終了すると、分割表示フラグをＯＦＦ制御する。
（４）切換え処理中フラグの制御
表示制御部８１０は、最新画像表示枠８２４に表示している表示画像の切換え処理が開始されるとＯＮ制御し、切換え処理が終了するとＯＦＦ制御する。
（５）全体表示フラグの制御
表示制御部８１０は、上記（２）自動送り表示フラグ、（３）分割表示フラグ、（４）切換え処理中フラグがすべてＯＦＦとなるとＯＮ制御し、どれか一つでもＯＮとなると、ＯＦＦ制御する。
【００４２】
図４に沿って動作手順を説明する。まず、最新画像表示フラグがＯＮかどうか確認され（Ｓ１０１）、次に全体表示フラグがＯＮであるかどうかが確認される（Ｓ１０２）。全体表示フラグは、前述の通り自動送りフラグ、分割表示フラグ、切換え処理中フラグがすべてＯＦＦのときに、ＯＮとなる。すなわち、自動送りでもなく、分割表示でもなく、切換え処理中でもないときにＯＮ（Ｓ１０２；Ｙｅｓ）となる。次に、画像センサ１に対応する発煙装置３が存在するかどうかが確認される（Ｓ１０３）。これらがすべてＹｅｓである場合には、起動操作手段表示フラグをＯＮにする（Ｓ１０４）。なお、この起動操作手段表示フラグがＯＮになると、表示制御部８１０により起動操作手段８３２が表示される。
【００４３】
最新画像フラグがＯＦＦ（Ｓ１０１；Ｎｏ）、全体表示フラグがＯＦＦ（Ｓ１０２；Ｎｏ）、または対応する発煙装置３がない場合（Ｓ１０３；Ｎｏ）、起動操作手段表示フラグがＯＮかどうかが確認され（Ｓ１０５）、ＯＮのときには（Ｓ１０５；Ｙｅｓ）、起動操作手段表示フラグがＯＦＦにされ（Ｓ１０６）、ＯＦＦのときには（Ｓ１０５；Ｎｏ），工程Ｓ１０１に戻り同様の確認を繰り返す。なお、工程Ｓ１０６にて、起動操作手段表示フラグがＯＦＦになると、表示制御部８１０により、起動操作手段８３２が表示されなくなる。なお、本実施例の表示制御部８１０は、表示状態単位手手段を含んでいる。
【００４４】
以上の説明において、起動操作手段８３２は、タッチパネル機能を備えた表示部８１１内に設ける構成としたが、表示部８１１内に設けなくてもよく、単独のスイッチまたは押しボタン等であってもよい。単独のボタン等であれば、監視員は起動操作を誤ることがないからである。
【００４５】
（画像センサ）
次に、図５乃至図７を用いて、画像センサ１について説明する。図５は、本発明の遠隔監視装置（監視センタ装置）に使用することができる画像センサ１の一例を示す機能ブロック図である。図６は、侵入判定処理手順の一例を示すフローチャートである。図７は、監視装置２との通信動作処理手順の一例を示すフローチャートである。以下の説明において、最良の実施形態として、画像センサ１が人の存在可能性の確度を複数のレベルで検出する例を説明するが、本発明においては、複数段階のレベルで人の侵入を検出する必要はなく、画像センサ１が侵入者を検出可能であればよい。また、本実施例においては、画像センサ１を撮像装置として使用しているが、画像処理により侵入者を検出する画像センサでなくてもよい。例えば、監視カメラと赤外線センサを組み合わせたものでもよい。
【００４６】
画像センサ１は、画像センサ全体を制御する制御手段１００、撮像制御手段１０１、監視対象を撮像するＣＣＤ、ＣＭＯＳ（ＣＩＳ）等からなる撮像部１０３、撮像範囲を照明する照明部１０２、撮像した画像から侵入者を検出するための基礎データを抽出する画像解析部１０４、抽出された基礎データから侵入者の存在の確度を複数段階に判定する侵入判定手段１０９、撮像した画像を一時記憶する画像データ蓄積手段１１０、画像を出力する画像データ出力手段１１１、及び監視装置２とのデータ通信を行う接続Ｉ／Ｆ（インタフェース）１１２とを備えている。
【００４７】
制御手段１００は、画像センサ１の各部及び全体を制御する。撮像制御手段１０１は、制御手段１００の制御の下、照明部１０２及び撮像部１０３を制御する。撮像部１０３は、撮像制御手段１０１の制御の下、定期的に監視領域を撮像し、撮像した画像を画像データ蓄積部１１０一時的に蓄積する。画像データ蓄積部１１０は、リング構造のバッファからなり、所定の枚数の画像（例えば１０枚程度）を記憶し、古い画像を順次新しい画像に置き換えて循環記憶可能である。監視装置２が解除モードに設定されている場合、または監視モードに設定されていても侵入検出していない正常時には、このように循環記憶することにより、最新画像に更新しながら所定枚数を記憶している。また、撮像部１０３が撮像した画像は、最新画像の要求があれば画像データ出力手段１１１に並行出力されることもある。
【００４８】
更に、撮像部１０３が撮像した画像は、画像解析部１０４にも入力される。画像解析部１０４は、背景画像記憶手段１０５、差分抽出手段１０６、トラッキング手段１０７、及び画像属性算出手段１０８を備えており、撮像した最新画像と背景画像とを比較することで移動物体の存在を検出し、さらに移動物体の検出領域における画像の持つ人属性、小動物属性、光属性、影属性等の属性を算出する。
【００４９】
画像解析部１０４の背景画像記憶手段１０５には、撮像領域の背景画像（侵入者等の移動物体が存在していないときの画像）が予め記憶されている。差分抽出手段１０６は、撮像部１０３で得られた入力画像と背景画像記憶手段１０５に記憶されている背景画像との差分処理を行い、変化のある差分領域を抽出する。トラッキング手段１０７は差分抽出手段１０６で得られた差分領域が前フレームでの差分領域と同じ物体によるものであると判定すれば、今回の差分領域に前回までの追跡情報を付与する。同じ物体であるとの判定は、例えば、重心の移動量と差分領域の大きさの変化が一定範囲内である等の条件を用いることにより行う。
【００５０】
画像属性算出手段１０８は、例えば、人属性算出手段１１３、小動物属性算出手段１１４、光属性算出手段１１５、影属性算出手段１１６等を備えており、それぞれの属性を算出する。これ以外にも、人の侵入かどうかの判定精度を向上させることのできる他の種類の属性算出手段を用いることも可能である。人属性算出手段１１３は、差分抽出手段１０６で得られた差分領域が人である場合に高い値となる「人属性値」を算出する。人属性値は、人らしさを表す特徴量、例えば、差分領域の大きさ、背景画像との正規化関数（背景画像と入力画像との一致度）、背景画像と比較した場合のエッジの変化率等から算出される。
【００５１】
小動物属性算出手段１１４は、差分領域が小動物である場合に高い値となる「小動物属性値」を算出する。小動物属性値は、小動物らしさを表す特徴量、例えば、差分領域の大きさ、移動方向と長軸の一致度、背景画像と比較した場合のエッジの変化率から算出される。
【００５２】
光属性算出手段１１５は、差分領域が光である場合に高い値となる「光属性値」を算出する。光属性値は、光らしさを表す特徴量、例えば、無照明画像での差分領域の平均輝度値、背景画像との正規化相関、背景画像と比較した場合にエッジの変化率、から算出される。
【００５３】
影属性算出手段１１６は、差分領域が影である場合に高い値となる「影属性値」を算出する。影属性値は、影らしさを表す特徴量、例えば、無照明画像での差分領域の平均輝度値、背景画像との正規化相関、背景画像と比較した場合のエッジの変化率から算出される。
【００５４】
侵入判定手段１０９は、差分領域で得られた変化のあった差分領域を、人属性値と光属性値、影属性値、小動物属性値を用いて、人であるかどうかの判定をする。人属性値が高く、光、影、小動物属性値が低いときに、「人」と判定する。閾値は３段階に設定されており、差分領域が侵入者に起因するものであるかどうかの確度を３段階のレベルで判定する。例えば、画像の解析により差分領域が侵入者に起因する可能性が十分にあるが確度が低い「人検出」レベルと判定したときに最下位の第１レベル侵入検出信号を出力し、「人検出」のレベルより確度が高い「侵入者検出」レベルと判定したときにその上位レベルの第２レベル侵入検出信号を出力し、「侵入者検出」レベルよりさらに高い確度であって侵入者であることがほぼ確実である「侵入者確定」レベルと判定したときにその上位レベルの第３レベル侵入検出信号を出力する。これらの侵入検出信号は、接続インタフェース１１２を介して、監視装置２に対してフラグ情報またはコード化されたデジタル情報として送信する。
【００５５】
このような判定を行うための各属性値の算出方法及びの判定閾値は、監視領域の地形、背景、天然光及び人工光と影の関係などの監視対象の環境に応じて、自由に設定することができるが、環境に応じた実験データから最適値を確定することが望ましい。例えば、様々な環境（屋内、屋外、天気、昼、夜等の環境）において、人を移動させたり誤報要因を出現させたりする実験またはシミュレーションを繰り返し、実験データまたはシミュレーションデータを集積して解析することにより、より精度の高い属性値の特徴及び閾値情報を得ることが可能となる。
【００５６】
判定結果である侵入検出信号は、制御手段１００からの消去要求があるまで、侵入判定手段１０９内に保持される。最新の画像に基づいて、より高レベルの判定が出た場合には、旧判定結果は、高レベルの段階の判定結果に置き換えられるように構成している。制御部１００は、撮像した画像データ中に侵入者を検出しなくなったとき、侵入判定手段１０９内に保持している判定結果である侵入検出信号を消去する。
【００５７】
侵入判定手段１０９により「人検出」、「侵入者検出」または「侵入者確定」と判定され、かつ、監視モードになっていれば、制御手段１００の制御により、画像データ蓄積手段１１０に蓄積する画像を、判定直前の連続する数枚の画像と、直後の数枚の画像を記憶し保持する。例えば、画像データ蓄積手段１１０が１０枚の画像を保持可能だとすると、判定時を含む直前３枚の画像と、直後の７枚の画像を記憶し、この画像を監視装置２０３から削除要求を受けるまで保持する。
【００５８】
画像データ出力手段１１１は、監視装置２からの要求に基づいて、画像データ蓄積手段１１０に記憶している蓄積画像、または撮像部１０３により撮像した最新画像を、画像特定情報及び識別記号を付加して接続インタフェース１１２を介して送信する。これらの画像は監視装置２により監視センタ装置８に送信され、監視センタの監視員による侵入状況の確認に使用される。
【００５９】
次に、画像センサ１による判定処理手順を、図６のフローチャートを用いて説明する。画像センサ１では、人属性値と平行して、人以外の属性値（光、影、小動物）を算出し、人属性値が高く、かつ、人以外の属性値が低い場合には、人と判断する。そして、変化領域が人である確度を３段階（侵入者確定＞侵入者検出＞人検出）のレベルで判定する。なお、「人検出」よりも確度が低い場合は、「人以外」との判定となる。
【００６０】
まず、撮像制御手段１０１は、照明部１０２及び撮像部１０３を制御し、照明を点灯させたときの照明画像と、照明を消灯したときの無照明画像を取得する（Ｓ２０１、Ｓ２０２）。
【００６１】
取得された入力画像と背景画像記憶手段１０５に記憶されている背景画像との差分処理を行い、その輝度差分値が所定の閾値以上である画素を結合した差分領域を抽出する（Ｓ２０３）。抽出された差分領域が、トラッキング手段１０７により、前フレームの差分領域と同じ移動物体によるものであると判定されれば、今回の差分領域に前回までの差分領域情報（追跡情報）を付与する（Ｓ２０４）。同じ移動物体によるものであるかどうかは、重心の移動量と差分領域の大きさの変化が一定の範囲内であるかどうか等の条件により判定する。
【００６２】
これらの前処理が終わると、差分領域の属性算出処理が行われる（Ｓ２０５）。属性算出処理では、種々の属性が算出される。この実施形態では、人属性、小動物属性、光属性、影属性を算出する例を示す。各属性値が算出されると、それらの属性値に基づいて、人の侵入かどうかの判定が行われる（Ｓ２０６）。各属性値を算出する方法、及び人の侵入の判定方法の具体例について、以下に説明する。
【００６３】
（各属性値の算出方法の例示）
差分領域の人属性は、次の（１）〜（３）のような特徴量に重み付けをして、その総和を求めることにより算出する。
（１）差分領域の大きさ（Ｔ１）が、一定の範囲であると、人である可能性が高い
（２）差分領域における入力画像と背景画像の類似度が低いと、人の可能性が高い
（３）差分領域における背景画像と比較した入力画像のエッジの変化率が高いと、人の可能性が高い。
これらの特徴量は、人である可能性が高いほど１に近づき、低いほど０に近づくように正規化される。正規化後のこれらの特徴量をａ１、ａ２、ａ３とし、それぞれの特徴量に対する重み付けをｂ１、ｂ２、ｂ３として、人属性値を次の式により求める。
・人属性値＝ａ１×ｂ１＋ａ２×ｂ２＋ａ３×ｂ３  但し、ｂ１＋ｂ２＋ｂ３＝１
【００６４】
小動物属性は、例えば、以下の（４）〜（６）の特徴量に重み付けをして、その総和を求めることにより算出する。
（４）差分領域の面積が小さいと、小動物である可能性が高い
（５）差分領域の長軸の傾きと移動方向の一致度合いが高いと、小動物の可能性が高い
（６）差分領域における背景画像と比較した入力画像のエッジの変化率が高いと、小動物である可能性が高い
このような特徴量から小動物属性値を算出する方法は、人属性値を算出する方法と同様の方法を用いる。但し、これらの特徴量に対する重み付けその他の条件は、環境に応じて、実験等を通じて確定する。
【００６５】
光属性値は、例えば、以下の（７）〜（９）の特徴量に重み付けをして、その総和を求めることにより算出する。
（７）無照明画像での差分領域の平均輝度が高いと、光の可能性が高い
（８）差分領域の入力画像と背景画像の類似度が高いと、光の可能性が高い
（９）差分領域の背景画像と比較した入力画像のエッジの変化率が低いと、光の可能性が高い
このような特徴量から光属性値を算出する方法は、人属性値を算出する方法と同様の方法を用いる。但し、これらの特徴量に対する重み付けその他の条件は、環境に応じて、実験等を通じて確定する。
【００６６】
影属性値は、例えば、（１０）〜（１２）の特徴量に重み付けをして、その総和を求めることにより算出する。
（１０）無照明画像での差分領域の平均輝度値が低いと、影である可能性が高い
（１１）差分領域での入力画像と背景画像の類似度が高いと、影である可能性が高い
（１２）差分領域の背景画像と比較した入力画像のエッジの変化率が低いと、影の可能性が高い
このような特徴量から影属性値を算出する方法は、人属性値を算出する方法と同様の方法を用いる。但し、これらの特徴量に対する重み付けその他の条件は、環境に応じて、実験等を通じて確定する。
【００６７】
（「人の侵入」の判定方法の例示）
上述の方法により算出した各種属性値を用いて差分領域が「人の侵入」であるかどうか
の判定を行う。この判定は、「人の侵入」である場合を３段階のレベルに分けて判定する。人属性値を判定するための閾値Ｘ１、Ｘ２、Ｘ３と、他の属性値（例えば光、影、小動物属性値）を判定するための閾値Ｙ１、Ｙ２、Ｙ３を用いて、「人の侵入」を判定する。これらの閾値は画像センサ１の侵入判定手段１０９に記憶されている。また、閾値相互はＸ１＜Ｘ２＜Ｘ３、Ｙ１＜Ｙ２＜Ｙ３の関係を有する。
【００６８】
尚、上述の閾値（Ｘ１〜Ｘ３、Ｙ１〜Ｙ３）は、監視対象として想定される様々な環境において人を移動させて収集した多数の画像解析データ、及び検出実験により得た誤報データ等に基づいて、人の侵人の確率を統計的に算出して求めることができる。また、トラッキングによって追跡した差分領域の過去の情報に基づき、人属性値、光属性値、影属性値、小動物属性値の過去分を累積して、累積した属性値を用いて人の侵入可能性の判定を行ってもよい。
【００６９】
図１３を参照して「人の侵入」の確度を複数段階に判定する方法について説明する。図１３は、人属性値と人以外の属性値との関係に基づく判定結果を示している。なお、人以外の属性値は、算出された「小動物属性値」「光属性値」「影属性値」の中で最大値を用いて判定する。
同図において、「Ａ」は、人の侵入がないと判定するいわゆる「正常」の場合を示している。すなわち、人属性値がＸ１より小さい、又は、その他の属性値がＹ３より大きい場合に、侵入判定手段１０９が「正常」と判定する。
同図において、「Ｂ］は、人以外の要因の可能性も十分に残っており、人の侵入がないと断定できない場合であって、いわゆる「人検出」（第１レベルの侵入検出）の場合を示している。すなわち、人属性値がＸ１とＸ２の間、且つその他の属性値がＹ３より大きい場合または、人属性値がＸ１より大きく、且つその他の属性値がＹ２とＹ３の間である場合に、侵入判定手段１０９が「人検出」と判定する。
同図において、「Ｃ」は、人以外の要因の可能性が若干残っており、確実に人の侵入があると断定できない場合であって、いわゆる「侵入者検出」（第２レベルの侵入検出）の場合を示している。すなわち、人属性値がＸ２とＸ３の間、且つその他の属性値がＹ２より小さい場合または、人属性値がＸ３より大きく、且つその他の属性値がＹ１とＹ２の間である場合に侵入判定手段１０９が「侵入者検出」と判定する。
同図において、「Ｄ」は、確実に侵入者であると断定できる場合であって、いわゆる「侵入者確定」（第３レベルの侵入検出）の場合を示している。すなわち、人属性値がＸ３より大きく、且つその他の属性値がＹ１より小さい場合に侵入判定手段１０９が「侵入者確定」と判定する。
【００７０】
図７を用いて、監視装置２からの要求に対する各画像センサ１の動作手順を説明する。画像センサ１は、監視装置２からの要求信号により、監視装置２へ要求に応じた情報を送信する。各画像センサ１は監視装置２の要求信号が自己宛の要求であるかどうかを確認して、自己宛の要求信号であると判断すると（Ｓ２１０；Ｙｅｓ）、受信した要求信号が蓄積画像（データ）の要求信号であるかを判定する（Ｓ２１１）。蓄積画像の要求信号であれば（Ｓ２１１；Ｙｅｓ）、画像データ出力手段１１１は、画像データ蓄積手段１１０に蓄積されている蓄積画像を監視装置２に送信する（Ｓ２１８）。そうでない場合（Ｓ２１１；Ｎｏ）は、工程Ｓ２１２に進む。工程Ｓ２１２では、受信した要求信号が最新画像（データ）の要求信号であるかを判定する。最新画像（データ）の要求信号である場合（Ｓ２１２；Ｙｅｓ）、画像データ出力手段１１１は、撮像部１０３により撮影した最新画像を、接続インタフェース１１２を介して監視装置２に送信する（Ｓ２１３）。
【００７１】
最新画像の送信要求ではない場合（Ｓ２１２；Ｎｏ）、現状報告要求の信号であるかどうかが確認され（Ｓ２１４）、現状報告要求でない場合には（Ｓ２１４；Ｎｏ）、工程Ｓ２１９に進む。工程Ｓ２１９では、受信した要求信号に応じた処理を行う。例えば、蓄積画像の削除要求の場合は、画像データ蓄積手段１１０に保持された画像の保持を解除し、正常時の動作に戻す。あるいはモニタ終了信号又は送信停止コマンドを受信した場合は、最新画像の送信を停止する。現状報告要求の信号である場合には（Ｓ２１４；Ｙｅｓ）、侵入判定手段１０９が判定結果である侵入検出信号を保持しているかどうかを確認し（Ｓ２１５）、保持しているときには、保持している侵入検出信号を監視装置２に送信する（Ｓ２１６）。侵入検出信号を保持していない場合には（Ｓ２１５；Ｎｏ）、正常信号を監視装置２に送信する（Ｓ２１７）
なお、監視装置２からの現状報告の要求は、各画像センサ１を定期的にポーリングすることにより行われる。
【００７２】
（監視装置）
図８は、本発明の遠隔監視装置（監視センタ装置）に接続可能な監視装置２の機能ブロック図である。監視装置２全体を制御する主制御手段２０１、画像センサ１との接続インタフェースである画像センサインタフェース２０２（以下「画像センサＩ／Ｆ２０２」と称する）、画像センサ１からの侵入検出信号に基づいて、対応処理を選択する対応処理選択手段２０３、発煙装置３の起動を制御する設備制御手段２０４、各種センサ４〜６の状態を監視するセンサ監視手段２０５、モード設定器９により設定された警備モード、画像センサ１から受信した侵入検出信号や画像情報、監視センタ装置８への画像の送信状況を示すフラグ及び各種プログラム等を記憶する記憶手段２０６、監視状態を画面上に表示し異常を検出したときにはブザーを鳴動させたり、画面上に異常発生箇所を表示する表示手段２０７、及び監視センタ装置８とのデータの送受信を行う通信制御手段２０８とを備えている。なお、記憶手段２０６に記憶された侵入検出信号は、画像センサ１ごとに記憶している。
【００７３】
監視装置２は、記憶手段２０６に画像センサ１に対応する発煙装置３の対応テーブルを記憶している。図１０に、記憶手段２０６に記憶する画像センサ１と発煙装置３の対応テーブルを例示する。設備制御手段２０４はこのようなテーブルを用いて、侵入検出した画像センサ１に対応する発煙装置３を起動する。尚、画像センサ１と発煙装置３が複数：１の関係で設置されている場合には、テーブル中に発煙装置３と対応する１つの画像センサ１を特定しておき、特定された画像センサ１が侵入検知したときのみ発煙装置３を起動するようにしても、複数の画像センサ１のすべてと発煙装置３とを対応づけておくことにより、対応付けられた画像センサ１のいずれか一つが侵入検出したときでも発煙装置３を起動するようにしてもよい。また、画像センサ１と発煙装置３とが１：複数の関係で設置されているときには、対応する画像センサ１が「侵入検出」状態となったときに、複数の発煙装置３を一定の時間間隔をおいて順次自動的に起動させるようにしても、複数の発煙装置３の１台のみを監視装置２により自動的に起動させ、残りの発煙装置３は、監視センタ装置からの制御信号により起動させるようにしてもよい。
【００７４】
モード設定器９により監視モードに設定されると、主制御手段２０１は画像センサ１及び各種センサ４〜６からの信号に基づき、センサ監視手段２０５、対応処理選択手段２０３は、各種センサ４〜６及び画像センサ１の状態を監視し、異常が発生すると侵入情報を監視センタ装置８に送信して知らせる。本発明は画像センサ１による「侵入検出」に関するものであるので、画像センサ１から侵入検出信号を受信した場合の対応処理選択手段２０３について、詳細に説明する。
【００７５】
図９は、対応処理選択手段２０３の動作手順の一例を示すフローチャートである。対応処理選択手段２０３は、侵入検出信号及び蓄積画像を受信すると（Ｓ３０１）、画像センサ１の侵入検出レベルを確認する。画像センサ１による侵入検出が第１レベル侵入検出又は第２レベル侵入検出の場合には（Ｓ３０２；Ｙｅｓ）、対応処理選択手段２０３は、監視センタ装置８に対して、侵入検出信号及び蓄積画像を送信する（Ｓ３０３）。これにより、監視センタでは、監視員が画像等に基づいて、人の侵入かどうかを確認し、必要な対応処理を行う。
【００７６】
画像センサ１から、第３レベル侵入検出信号を受信した場合には、対応処理選択手段２０３は、設備制御手段２０４に起動信号を出力して発煙装置３を起動させる（Ｓ３０４）。これは、第３レベル侵入検出と判定された場合には、侵入者の存在がほぼ確定的であるため、即座に発煙装置３を起動させるものである。これにより、侵入者を検知したタイミングで即座に発煙装置を起動することが可能となるので、起動タイミングを逸することなく、効果的に発煙装置３を起動することが可能となる。従って、発煙装置３の効果的な使用が可能となり、より犯罪抑止力の高い遠隔監視装置を提供可能となる。その後工程Ｓ３０３の処理を実行する。なお、工程Ｓ３０３とＳ３０４の順序を逆にしても良い。
【００７７】
図１１は、対応処理選択手段２０３における動作処理手順の他の例を示すフローチャートである。この動作処理手順では、画像センサ１が第２レベルの侵入検出のときには、最新画像を監視センタ装置８に送信することを特徴としている。すなわち、画像センサ１から第１レベル侵入検出信号を受信した場合に（Ｓ３１１、Ｓ３１２共にＹｅｓ）、監視センタ装置８には蓄積画像を送信し、第２レベルまたは第３レベルの侵入検出信号を受信したときには（Ｓ３１２；Ｎｏ）、工程Ｓ３１４へ進む。
【００７８】
次に、第２レベル侵入検出信号であるかどうかをチェックし（Ｓ３１４）、第２レベル侵入検出信号でない場合、すなわち第３レベルの侵入検出の場合には（Ｓ３１４；Ｎｏ）、設備制御手段２０４に発煙装置３を起動する起動信号を出力する（Ｓ３１６）。また、第２レベル又は第３レベルの侵入検出信号のいずれの場合も画像センサ１へ最新画像の送信を要求し、画像センサ１から最新画像を受信すると、監視センタ装置８への最新画像の送信を行う最新画像データの通信処理を実行する（Ｓ３１５）。かかる最新画像の送信は、監視センタ装置８から最新画像の送信停止コマンドを受信するまで続けられる。監視センタ装置８から現状画像データの送信停止コマンドを受信するまで続けられる。なお、本フローチャートでは省略したが、侵入検出信号のレベルを判定したとき（Ｓ３１２、Ｓ３１４）に、当該画像センサ１からすでに同一レベルの侵入検出信号を記憶手段２０６に記憶していれば、以降の処理をせずに、工程Ｓ３１１へ戻る。
【００７９】
本実施の形態では、第３レベル侵入検出信号を受信すると、必ず威嚇装置である発煙装置３を駆動するようにしているが、第３レベル侵入検出信号を受信したとき、既に監視装置２から監視センタ装置８へ現状画像を送信していれば発煙装置３を起動しないようにしても良い。例えば、監視装置２が画像センサ１から第２レベル侵入検出信号を受信し、工程Ｓ３１５にて現状画像を監視センタ装置８へ送信している最中に、当該画像センサ１から第３レベル侵入検出信号を受信した場合である。かかる場合は、監視センタの監視員が画像センサ１からの画像を見ているので、監視員の判断を優先するのが好ましい。そこで、監視員が監視センタ装置８から監視装置２に発煙装置３の起動信号を送信し、発煙装置３を起動させる。これにより、画像センサ１による判断より確かな判断で発煙装置３の起動ができる。
【００８０】
図１２は、図５に示す画像センサ１、監視装置２及び遠隔監視装置（監視センタ装置８）を用いた遠隔監視システムの各装置間のデータの送受信の例を示す図である。図１２では、すでに監視装置２は、監視モードに設定されているものとして説明する。監視装置２は、画像センサ１に対して定期的に現状報告要求信号を送信する。これに対して画像センサ１は、特に問題がなければ、監視装置２への応答として正常信号を送信する。
【００８１】
今、画像センサ１が第１レベル侵入検出信号を受信したとすると、第１レベル侵入検出信号を監視装置２に送信する。第１レベル侵入検出信号を受信した監視装置２は、第１レベル侵入検出信号を含む異常信号を、監視センタ装置８に送信する。画像センサ１は第１レベル侵入検出信号と同時に蓄積画像を送信するように構成しても良いが、本実施の形態では図１２に示すように、監視装置２から画像センサ１に対して蓄積画像の要求をするように構成している。画像センサ１は、監視装置２から蓄積画像要求信号を受信すると、蓄積画像を監視装置２に送信する。監視装置２は、受信した蓄積画像を監視センタ装置８に送信する。監視センタ装置８を監視する監視員が、侵入確認のために最新画像が必要であると判断すると、監視センタ装置８から最新画像を要求する。監視装置２はこれを受けて最新画像の送信を画像センサ１に要求する。これに基づき、画像センサ１から最新画像が監視装置２を経由して監視センタ装置８に送信される。監視センタの監視員は、受信した最新画像等に基づいて発煙装置３の起動が適切と判断すれば、監視センタ装置８から識別記号を含む発煙装置３の起動信号を送信させる。かかる発煙装置３の起動信号を受信すると、監視装置２は設備制御手段２０４の制御の下、記憶手段２０６の対応テーブル（図１０）を参照して対応する発煙装置３を起動させる。
【００８２】
監視センタでは、侵入検出に対する対応処理が終了すると、モニタ終了信号を監視装置２に送信する。これに基づき、監視装置２は、記憶手段２０６に記憶保持している侵入検出信号の削除、最新画像の送信停止をするとともに、画像センサ１にモニタ終了信号を送信する。これにより最新画像の送信が停止される。なお、監視装置２は、モニタ終了信号を受信しなくとも、最新画像の送信停止コマンドを受信すると停止される。モニタ終了信号を受信した画像センサ１は、最新画像の送信を停止する。この処理は、送信停止コマンドを受信したときも同様である。
【００８３】
図１２の破線の下の欄は、画像センサ１が第３レベル侵入検出と判定したときの対応処理を示している。現状報告信号を受信すると、画像センサ１は第３レベル侵入検出信号を監視装置２に送信する。監視装置２は、第３レベル侵入検出信号を含む異常信号を監視センタ装置８に送信するとともに、発煙装置３の起動信号を発煙装置３に送信する。発煙装置３は起動信号を受けると、発煙して侵入者の視野を遮る。さらに、監視装置２から最新画像要求信号が画像センサ１に送信され、最新画像が監視装置２を介して監視センタ装置８に送信される。所定の対応処理が終了すると、監視センタ装置８から監視装置２及び画像センサ１にモニタ終了信号が送信される。これにより最新画像の送信が停止される。
【００８４】
なお、監視センタ装置８から発煙装置３を起動させるときに、監視センタ装置８から監視装置２へ識別記号を含む起動信号を送信し、監視装置２は、図１０の対応テーブルを参照して、発煙装置３を特定して当該発煙装置３を起動する構成としたが、監視センタ装置８で監視装置２の対応テーブルを記憶しておき、発煙装置３を特定する起動信号を監視装置２に送信する構成としてもよい。
【図面の簡単な説明】
【００８５】
【図１】本発明の遠隔監視装置（監視センタ装置）を用いた遠隔監視システムの構成例を示す構成ブロック図である。
【図２】本発明の一実施形態にかかる遠隔監視装置（監視センタ装置）の機能ブロック図である。
【図３】威嚇ボタンをタッチパネルとして表示部上に表示する画面表示例を示す図である。
【図４】遠隔監視装置の起動操作手段（威嚇操作ボタン）の表示制御手順の一例を示すフローチャートである。
【図５】画像センサの一例を示す機能ブロック図である。
【図６】侵入判定処理手順の一例を示すフローチャートである。
【図７】図５の画像センサの通信動作処理手順の一例を示すフローチャートである。
【図８】監視装置の一例を示す機能ブロック図である。
【図９】対応処理選択手段の動作手順の一例を示すフローチャートである。
【図１０】遠隔監視装置（監視センタ装置）及び監視装置の記憶手段に記憶されている画像センサと発煙装置の対応テーブルの一例を示す図である。
【図１１】対応処理選択手段における動作処理手順の他の例を示すフローチャートである。
【図１２】画像センサ、監視装置及び遠隔監視装置（監視センタ装置）を用いた遠隔監視システムの各装置間のデータの送受信の例を示す図である。
【図１３】人属性値と人以外の属性値との関係に基づき、人の存在を判定する方法を示す図である。
【符号の説明】
【００８６】
１（１ａ〜１ｅ）  画像センサ              ２  監視装置
３（３ａ〜３ｄ）  発煙装置（威嚇装置）    ４  侵入センサ
５  火災センサ                            ６  非常ボタン
７  通信回線（ネットワーク）              ８  監視センタ装置（遠隔監視装置）
９  モード設定器                        １０  遠隔監視システム
１００  画像センサの制御手段              １０１  撮像制御手段
１０２  照明部                            １０３  撮像部
１０４  画像解析部                        １０５  背景画像記憶手段
１０６  差分抽出手段                      １０７  トラッキング手段
１０８  画像属性算出手段                  １０９  侵入判定手段
１１０  画像データ蓄積手段                １１１  画像データ出力手段
１１２  接続Ｉ／Ｆ                        ２０１  監視装置の主制御手段
２０２  画像センサＩ／Ｆ                  ２０３  対応処理選択手段
２０４  設備制御手段                      ２０５  センサ監視手段
２０６  監視装置の記憶手段                ２０７  表示手段
２０８  通信制御手段                      ８０１  通信制御手段
８０２  監視センタ装置の主制御手段        ８０３  表示手段
８０４  画像判定手段                      ８０５  威嚇起動手段
８０７  監視センタ装置の記憶手段          ８１０  表示制御部
８１１  表示部                            ８２０  表示画面
８２１  情報表示部                        ８２２  蓄積画像情報表示枠
８２３  蓄積画像情報表示枠                ８２４  最新画像表示枠
８２５  最新画像情報表示枠                ８３１  最新画像要求ボタン
８３２  起動操作手段                      ８３３ａ、ｂ  手動送りボタン
８３４  自動送りボタン                    ８３５  分割ボタン
８３６  モニタ終了ボタン                        
【図１】
2006285507.tif 000003
【図２】
2006285507.tif 000004
【図３】
2006285507.tif 000005
【図４】
2006285507.tif 000006
【図５】
2006285507.tif 000007
【図６】
2006285507.tif 000008
【図７】
2006285507.tif 000009
【図８】
2006285507.tif 000010
【図９】
2006285507.tif 000011
【図１０】
2006285507.tif 000012
【図１１】
2006285507.tif 000013
【図１２】
2006285507.tif 000014
【図１３】
2006285507.tif 000015